(57)【要約】      （修正有）【課題】必要な空気が高い効率で生成されて供給される折り機を提供する。【解決手段】紙や板紙などからなる枚葉紙６を折るための折り機であって、給紙装置と、少なくとも１つの折りステーションと、給紙装置と少なくとも１つの折りステーションとの間に配置された揃え台と、排紙装置と、機械制御部とを備えており、給紙装置は、枚葉紙６を１枚ずつ分離させるための吐出空気によるサポート手段と、枚葉紙６を揃え台へ引き渡すための吸引空気によるサポート手段５とを有している、折り機が、低い空気圧と大きい空気量で吐出空気を生成する少なくとも１つの装置と、高い空気圧と少ない空気量で吸引空気を生成する少なくとも１つの装置２とを有しており、吐出空気を生成する少なくとも１つの装置と吸引空気を生成する少なくとも１つの装置２は、別々に制御可能、すなわち別々に調節可能である。【選択図】図１ａ
0003157219.tif 000002
【実用新案登録請求の範囲】
【請求項１】
紙や板紙などからなる枚葉紙（６）を折るための折り機であって、給紙装置と、少なくとも１つの折りステーションと、前記給紙装置と前記少なくとも１つの折りステーションとの間に配置された揃え台と、排紙装置と、機械制御部とを備えており、前記給紙装置は、枚葉紙（６）を１枚ずつ分離させるための吐出空気によるサポート手段（７，１１）と、枚葉紙（６）を前記揃え台へ引き渡すための吸引空気によるサポート手段（５）とを有している、折り機において、
前記折り機は、特に低い空気圧と大きい空気量で吐出空気を生成する少なくとも１つの装置（１）と、特に高い空気圧と少ない空気量で吸引空気を生成する少なくとも１つの装置（２）とを有しており、前記吐出空気を生成する少なくとも１つの装置（１）と前記吸引空気を生成する少なくとも１つの装置（２）は、別々に制御可能、すなわち別々に調節可能であることを特徴とする折り機。
【請求項２】
前記吐出空気を生成する少なくとも１つの装置（１）と前記吸引空気を生成する少なくとも１つの装置（２）のいずれか一方または両方は、制御可能すなわち調節可能な通風機を有している、請求項１に記載の折り機。
【請求項３】
前記通風機は、回転数制御式のラジアルコンプレッサ（３）または回転数制御式の吸引用通風機である、請求項２に記載の折り機。
【請求項４】
前記吐出空気を生成する少なくとも１つの装置（１）と前記吸引空気を生成する少なくとも１つの装置（２）のいずれか一方または両方は、前記給紙装置の一部である、請求項１から３のいずれか１項に記載の折り機。
【請求項５】
吐出空気の需要がある場所または吸引空気の需要がある場所に、１つの前記吐出空気を生成する装置（１）または１つの前記吸引空気を生成する装置（２）がそれぞれ配置されている、請求項１から４のいずれか１項に記載の折り機。
【請求項６】
前記吐出空気を生成する少なくとも１つの装置（１）および前記吸引空気を生成する少なくとも１つの装置（２）は、前記機械制御部と接続されており、該機械制御部によって制御可能すなわち調節可能である、請求項１から５のいずれか１項に記載の折り機。
【請求項７】
前記機械制御部は、割当規則として、枚葉紙（６）の特定の坪量と枚葉紙（６）の特定の版型と特定の機械速度のうちの少なくとも１つに、給紙装置側の吐出空気の需要量および吸引空気の需要量を割り当てている、請求項６に記載の折り機。
【請求項８】
前記吐出空気を生成する少なくとも１つの装置（１）および前記吸引空気を生成する少なくとも１つの装置（２）は、前記機械制御部によって、前記吐出空気の需要量または前記吸引空気の需要量に応じて制御される、請求項７に記載の折り機。
【請求項９】
前記機械制御部は、修正された前記吐出空気の需要量または前記吸引空気の需要量を保存するための記憶ユニットを有している、請求項７または８に記載の折り機。
【考案の詳細な説明】
【技術分野】
【０００１】
本考案は、請求項１の前提項に記載されている枚葉紙を折るための折り機、すなわち、紙や板紙などからなる枚葉紙を折るための折り機であって、給紙装置と、少なくとも１つの折りステーションと、給紙装置と少なくとも１つの折りステーションとの間に配置された揃え台と、排紙装置と、機械制御部とを備えており、給紙装置は、枚葉紙を１枚ずつ分離させるための吐出空気によるサポート手段と、枚葉紙を揃え台へ引き渡すための吸引空気によるサポート手段とを有している、折り機に関する。
【背景技術】
【０００２】
従来技術により、枚葉紙を１枚ずつ分離させるための吐出空気によるサポート手段と、枚葉紙を引き渡すための吸引空気によるサポート手段とを有している、折り機のための給紙装置が知られている。これによると、空気生成のために、圧縮空気だけでなく吸引空気も提供する層状のコンプレッサ（Lammellenverdichter）や横溝状のコンプレッサ（Seitenkanalverdichter）のような複合型機器が用いられている。このような種類の複合型機器の欠点は、吸引空気の需要と圧縮空気の需要のいずれか一方に関してしか最適化できないことである。機械の吸引空気側でも吐出空気側でも、圧力や容積の需要が異なる空気消費部がそれぞれ用いられるので、複合型機器は、常に最も不都合な場合に備えて設計されなくてはならない。そのために、実際の空気需要と、複合型機器によって提供される空気との間にはしばしば大きな隔たりが生じ、このことは、空気エネルギーの大部分が熱となって折り機や周囲へ放出され、複合型機器が非常に低い効率で作動することにつながる。
【０００３】
特許文献１には、負圧生成器に接続された枚葉紙吸引装置を備えている、折り機のための枚葉紙給紙装置が開示されている。負圧生成器は、圧縮空気源に接続することができる噴射ポンプによって構成されている。この解決策の欠点は、噴射ポンプは効率が悪いという特徴があることと、実際の空気需要量に合わせるための調節可能な範囲が小さいことである。
【０００４】
特許文献２には、空気供給ボックスを備えている枚葉紙案内装置が開示されている。空気供給ボックスは軸方向通風装置（軸方向ベンチレータ）を有しており、吐出空気の需要がある場所または吸引空気の需要がある場所で、吐出空気または吸引空気を直接生成する役目をする。
【先行技術文献】
【特許文献】
【０００５】
【特許文献１】独国特許第２６３７０７３号
【特許文献２】独国実用新案登録出願明細書第２９５０１５３７号
【考案の概要】
【考案が解決しようとする課題】
【０００６】
本考案の目的は、従来技術の欠点を取り除き、必要な空気が高い効率で生成されて供給される折り機を提供することにある。
【課題を解決するための手段】
【０００７】
この目的は、請求項１の特徴を備える折り機によって達成される。
【０００８】
本発明の、紙や板紙などからなる枚葉紙を折るための折り機は、給紙装置と、少なくとも１つの折りステーションと、給紙装置と少なくとも１つの折りステーションとの間に配置された揃え台（Ausrichttisch）と、排紙装置と、機械制御部とを備えている。給紙装置は、枚葉紙を１枚ずつ分離させるための吐出空気によるサポート手段（blasluftunterstuetzte）と、枚葉紙を揃え台へ引き渡すための吸引空気によるサポート手段（saugluftunterstuetzte）とを有している。吸引空気によるサポート手段は、例えば吸引車（saugrad）または持上げ吸引部（Hubsauger）であってよい。本考案によると、折り機は、吐出空気を生成する少なくとも１つの装置と、それとは独立している、吸引空気を生成する少なくとも１つの装置とを有している。吐出空気を生成する装置と吸引空気を生成する装置は、別々に制御可能すなわち調節可能である。これらの装置は実際の空気の需要量に合わせるように調節されるのが好ましく、すなわち、損失が小さくなるように最適化されるのが好ましい。したがって、これらの装置は熱の放出が小さく、効率が高く、騒音発生が少ないという特徴がある。吐出空気を生成する装置は、低い空気圧と大きい空気量で吐出空気を提供する。吸引空気を生成する装置は、高い空気圧と小さい空気量で吸引空気を提供する。
【０００９】
本考案による折り機の１つの好ましい発展例では、吐出空気を生成する少なくとも１つの装置および／または吸引空気を生成する少なくとも１つの装置は、制御可能な通風機（Geblaese）を有している。この場合、通風機の回転数は電子式に制御可能すなわち調節可能であるのが好ましい。それにより、例えば枚葉紙の版型や枚葉紙の坪量に合わせるための、提供される吐出空気または吸引空気の調節が容易に可能である。通風機を、回転数制御式のラジアルコンプレッサとして作製するのが特に好ましい。この構成は、例えばパルス幅の調節によって通風機を容易に電子的に制御することができ、ラジアルコンプレッサは低い圧力と大きい体積流量で空気を提供できるという利点がある。それにより、吐出空気の加熱が小さく、それに伴って枚葉紙への静電気の帯電が小さく、騒音発生が小さく、効率が高くなることが実現されるという利点がある。
【００１０】
別の好ましい実施態様では、吐出空気を生成する少なくとも１つの装置および／または吸引空気を生成する少なくとも１つの装置は給紙装置の一部である。好ましい発展例では、吐出空気の需要がある場所または吸引空気の需要がある場所に、１つの吐出空気を生成する装置または１つの吸引空気を生成する装置がそれぞれ配置されている。この構成は、長いホース配管によって損失が生じることがなく、各々の装置を個別に制御できるという利点がある。
【００１１】
本考案による折り機の特に好ましい実施態様では、吐出空気を生成する少なくとも１つの装置および吸引空気を生成する少なくとも１つの装置は、機械制御部と接続されており、機械制御部によって制御可能すなわち調節可能である。吸引空気および吐出空気とこれらに伴う枚葉紙の給紙とを、中央で機械制御部によって制御すなわち調節することができる。１つの好ましい発展例では、機械制御部は割当規則を有し、この割当規則によって、枚葉紙の特定の坪量および／または枚葉紙の特定の版型および／または特定の機械速度に、給紙装置側の吐出空気の需要量および吸引空気の需要量が割り当てられる。坪量および／または枚葉紙の版型は機械の操作者が入力することができ、または、ジョブ管理システムから呼び出すことができ、または、折り機のセンサによって求めることができる。機械速度は機械制御部から直接呼び出されるのが好ましい。吐出空気を生成する少なくとも１つの装置および吸引空気を生成する少なくとも１つの装置は、機械制御部によって、吐出空気の需要量または吸引空気の需要量に応じて制御されるのが好ましく、また、機械速度に合わせて調節する場合には常時調節されるのが好ましい。機械制御部によって決定された吐出空気の需要量または吸引空気の需要量が、実際の吐出空気の需要量または吸引空気の需要量に一致していなければ、機械の操作者が吐出空気の需要量または吸引空気の需要量を適合させることができる。そのために機械制御部は、修正された、ジョブに関連する吐出空気の需要量または吸引空気の需要量を保存するための記憶ユニットを有しているのが好ましい。
【００１２】
本考案のその他の利点や好ましい実施形態に関しては、従属請求項と、添付の図面に関連して行う実施形態の説明を参照されたい。
【図面の簡単な説明】
【００１３】
【図１ａ】吸引空気生成器を示す図である。
【図１ｂ】吐出空気の需要がある場所に直接設けられた、ラジアル通風機を備えている、吐出空気生成器を示す図である。
【図１ｃ】前側送風機のための、吐出空気を生成するラジアルコンプレッサを示す図である。
【図１ｄ】他の吸引空気生成器を示す図である。
【考案を実施するための形態】
【００１４】
次に、本考案の実施の形態について図面を参照して説明する。
【００１５】
図１ａから図１ｃに示されている、吐出空気を生成する装置１および吸引空気を生成する装置２は、いずれも折り機（図示せず）の給紙装置の一部である。図１ａは、吸引空気を生成する装置２を示している。この装置は、短い配管を介して吸引ローラ５と接続された真空生成器４を有している。吸引ローラ５は、枚葉紙６を吸引して引き渡す役目をする。真空生成器４と吸引ローラ５の間で、調節可能なバイパス弁８と吸引タイミング制御弁９とがホース配管に組み込まれている。吸引タイミング制御弁９は、各枚葉紙６が吸引されて揃え台（図示せず）に引き渡されるべき時にだけ、吸引ローラ５によって負圧が提供されるように働く。吸引ローラで負圧が提供されるべきでない時には、調節可能なバイパス弁８が調整のために開く。吸引ローラ５に準じて、１つまたは複数の持上げ吸引部１２へしかるべく吸引空気を供給することもできる（図１ｄ参照）。
【００１６】
図１ｂには、枚葉紙通気装置（Bogenbelueftungsvorrichtung）１１を備えている、吐出空気を生成する装置１が示されている。枚葉紙通気装置は回転数制御式のラジアルコンプレッサ３を有している。モータの回転数の制御を通じて、容易なやり方で空気量を変更可能である。このような種類の吐出空気を生成する装置１は、非常にコンパクトに構成されており、したがって、折り機の給紙装置内で吐出空気の需要がある場所に直接取り付けることができる。例えば２つ以上の、このようなコンパクトな構成の吐出空気を生成する装置１を、枚葉紙への通気のために、折り機の給紙装置の垂直軸に関して対称に設置することができる。
【００１７】
図１ｃは、吐出空気を生成する装置１、すなわち、前側送風機７のためのガス送風機を示している。装置１は、複数の前側送風機７が接続された回転数制御式のラジアルコンプレッサ３を有している。枚葉紙の版型に合わせるために、装置１は調整弁１０を有している。大きな枚葉紙版型の場合には両方の弁１０が開き、中程度の枚葉紙版型の場合には下側の調整弁１０が閉じ、小さい枚葉紙版型の場合には両方の調整弁１０が閉じる。
【００１８】
図示して説明した、折り機の給紙装置における吐出空気を生成する装置１および吸引空気を生成する装置２に準じて、このような装置１，２を折り機の他のステーションでも利用することができ、たとえば折りステーションで折り丁を案内および制動するためや、排紙領域で折り丁を排紙するために利用することができる。
【符号の説明】
【００１９】
１  吐出空気を生成する装置
２  吸引空気を生成する装置
３  回転数制御式のラジアルコンプレッサ
４  真空生成器
５  吸引ローラ
６  枚葉紙
７  前側送風機
８  調整可能なバイパス弁
９  吸引タイミング制御弁
１０  版型に合わせるための調整弁
１１  枚葉紙通気装置（エアウィング）
１２  持上げ吸引部
【図１ａ】
0003157219.tif 000003
【図１ｂ】
0003157219.tif 000004
【図１ｃ】
0003157219.tif 000005
【図１ｄ】
0003157219.tif 000006